(57)【特許請求の範囲】
【請求項１】
ＰＯＴＳ信号およびＸＤＳＬ信号の伝送のために通信システムにおいてオーバーヘッド電圧を割り当てる方法であって、該方法は、
該通信システムの呼の通信状態を判定する段階と、
該呼の通信状態に応じて該オーバーヘッド電圧を割り当てる段階とからなり、該呼の通信状態を判定する段階は、さらに、
該通信システムのループ状況状態を判定する段階と、
該ＰＯＴＳ信号の状態を判定する段階と、
該ループ状況に応じて該ＸＤＳＬ信号の状態を判定する段階とを含む
ことを特徴とする方法。
【請求項２】
請求項１に記載の方法において、該ループ状況状態は、
高インピーダンス状態と、
低インピーダンス状態とからなることを特徴とする方法。
【請求項３】
請求項１に記載の方法において、該ＰＯＴＳ信号の状態は、
オンフック状態と、
オフフック状態とからなることを特徴とする方法。
【請求項４】
請求項１に記載の方法において、該ＸＤＳＬ信号の状態は、
フル・パワー・モード状態と、
ロー・パワー・モード状態と、
パイロット・スリープ・モード状態と、
スリープ・モード状態とからなることを特徴とする方法。
【請求項５】
ＰＯＴＳ信号およびＸＤＳＬ信号の伝送のために通信システムにおいてオーバーヘッド電圧を割り当てる方法であって、該方法は、
該通信システムのループ状況を判定する段階と、
該ＰＯＴＳ信号の状態を判定する段階と、
該ループ状況に応じて該ＸＤＳＬ信号の状態を判定する段階と、
該ループ状況、該ＰＯＴＳ信号の状態、および該ＸＤＳＬ信号の状態に応じて、該オーバーヘッド電圧を割り当てる段階とからなることを特徴とする方法。
【請求項６】
請求項５に記載の方法において、該ループ状況状態は、
高インピーダンス状態と、
低インピーダンス状態とからなることを特徴とする方法。
【請求項７】
請求項５に記載の方法において、該ＰＯＴＳ信号の状態は、
オンフック状態と、
オフフック状態とからなることを特徴とする方法。
【請求項８】
請求項５に記載の方法において、該ＸＤＳＬ信号の状態は、
フル・パワー・モード状態と、
ロー・パワー・モード状態と、
パイロット・スリープ・モード状態と、
スリープ・モード状態とからなることを特徴とする方法。
【請求項９】
電話ネットワーク・デバイスとユーザ・デバイスとの間でオーバーヘッド電圧を割り当てる通信システムであって、該システムは、
該電話ネットワーク・デバイスに配置され、該ユーザ・デバイスと信号通信状態にあるライン・ドライバからなり、該ライン・ドライバは、複数ある通信状態のうちの１つの状態であり、該システムはさらに、
該ライン・ドライバと信号通信状態にあるプロセッサからなり、該プロセッサは、該ライン・ドライバの通信状態に応じて、該オーバーヘッド電圧を割り当て、
該複数の通信状態は、複数のＰＯＴＳ状態と、複数のＸＤＳＬ状態と、複数のループ状況状態とからなることを特徴とする通信システム。
【請求項１０】
請求項９に記載の通信システムにおいて、該複数のＰＯＴＳ状態は、
オンフック状態と、
オフフック状態とからなることを特徴とする通信システム。
【請求項１１】
請求項９に記載の通信システムにおいて、該複数のＸＤＳＬ状態は、
フル・パワー・モード状態と、
ロー・パワー・モード状態と、
パイロット・スリープ・モード状態と、
スリープ・モード状態とからなることを特徴とする通信システム。
【請求項１２】
請求項９に記載の通信システムにおいて、該複数のループ状況状態は、
高インピーダンス状態と、
低インピーダンス状態とからなることを特徴とする通信システム。
【請求項１３】
請求項９に記載の通信システムにおいて、該電話ネットワーク・デバイスは電話スイッチであることを特徴とする通信システム。
【請求項１４】
請求項９に記載の通信システムにおいて、該電話ネットワーク・デバイスはデジタル・ループ搬送であることを特徴とする通信システム。
【請求項１５】
請求項９に記載の通信システムにおいて、該電話ネットワーク・デバイスはデジタル加入者線アクセス・マルチプレクサであることを特徴とする通信システム。
【請求項１６】
ＰＯＴＳ信号およびＸＤＳＬ信号の伝送のためにオーバーヘッド電圧を割り当てる通信システムであって、該システムは、
プロセッサと、
該プロセッサにより該通信システムの呼の通信状態を判定する手段と、
該プロセッサにより該呼の通信状態に応じて該オーバーヘッド電圧を割り当てる手段とからなり、該判定する手段はさらに、
該通信システムのループ状況状態を判定する手段と、
該ＰＯＴＳ信号の状態を判定する手段と、
該ループ状況に応じて該ＸＤＳＬ信号の状態を判定する手段とを含むことを特徴とする通信システム。
【請求項１７】
請求項１６に記載のシステムにおいて、該ループ状況状態は、
高インピーダンス状態と、
低インピーダンス状態とからなることを特徴とするシステム。
【請求項１８】
請求項１６に記載のシステムにおいて、該ＰＯＴＳ信号の状態は、
オンフック状態と、
オフフック状態とからなることを特徴とするシステム。
【請求項１９】
請求項１６に記載のシステムにおいて、該ＸＤＳＬ信号の状態は、
フル・パワー・モード状態と、
ロー・パワー・モード状態と、
パイロット・スリープ・モード状態と、
スリープ・モード状態とからなることを特徴とするシステム。
【発明の詳細な説明】
【０００１】
【発明の属する技術分野】
本発明は、普通の従来の電話サービス（ＰＯＴＳ）およびデジタル加入者線サービス（ＸＤＳＬ）の双方をサポートする電気通信システムに関する。本発明は、特に、ＰＯＴＳ信号およびＸＤＳＬ信号双方のためのオーバーヘッド電圧の割り当てに適しているが、これに限定されるわけではない。
【０００２】
本出願は、１９９８年１２月１８日に出願された、Ｄｙｎａｍｉｃ  Ａｌｌｏｃａｔｉｏｎ  ｏｆ  Ｏｖｅｒｈｅａｄ  Ｖｏｌｔａｇｅ  Ｔｏ  Ａｌｌｏｗ  Ｓｉｍｕｌｔａｎｅｏｕｓ  Ｔｒａｎｓｍｉｓｓｉｏｎ  Ｏｆ  ＰＯＴＳ  Ａｎｄ  ＡＤＳＬ  Ｓｉｇｎａｌｓ（ＰＯＴＳおよびＡＤＳＬ信号の同時送信を可能とするオーバーヘッド電圧の動的割り当て）と題する米国仮出願連番第６０／１１２，９３８号の利益を主張する。
【０００３】
【従来の技術、及び、発明が解決しようとする課題】
米国において、電話ネットワークは、電話局に配置されている直流（ＤＣ）の約４８ないし５２ボルト（Ｖ）のバッテリを用いて、カスタマの構内にある標準的な電話機等のカスタマ構内設置機器（ＣＰＥ）を駆動する。ＰＯＴＳ動作モードでは、標準的なＣＰＥデバイスは、典型的に、動作するために少なくとも１６ないし２２ミリアンペア（ｍＡ）のＤＣ電流を必要とするので、通常のオフィスのバッテリ電圧で満足できる。通常、電話ループ（電話局とＣＰＥとの間の経路）のインピーダンスは、ループ構成に基づいて変化する。ＰＯＴＳおよびＸＤＳＬを同時に送信する場合、いくつかのループ構成においては、バッテリの出力は、必要なＤＣ電圧ならびにＰＯＴＳおよびＸＤＳＬオーバーヘッド電圧の組み合わせに、十分に対応しない。この結果、ＸＤＳＬ信号の最大データ・レートおよび／またはＰＯＴＳ信号の音声品質が低下することになる。
【０００４】
この問題を解決する試みには、より高い電圧のバッテリを用いること、ＰＯＴＳおよびＸＤＳＬに別個の駆動回路を用いること、バッテリ・ブースト回路を用いることが含まれる。しかしながら、これらの解決策の各々は、高価な新しい回路と、これを制御するための関連するソフトウエアとを伴う。従って、ＰＯＴＳ信号およびＸＤＳＬ信号を個別にまたは同時に送信することを可能にする、オーバーヘッド電圧を割り当てるためのシステムおよび方法に対する要望がある。標準的な電話局のバッテリと共に、米国における通常のオフィス・バッテリの使用を可能とする必要がある。
【０００５】
上述の問題の解決、および当技術分野における多くの技術的進展の達成は、ＰＯＴＳ信号およびＸＤＳＬ信号の送信においてオーバーヘッド電圧の割り当てを可能とするシステムおよび方法の実施によってもたらされる。本発明に従って、ＰＯＴＳ信号およびＸＤＳＬ信号を送信する通信システムにおいてオーバーヘッド電圧を割り当てるための方法を記載する。この方法は、通信システムの呼の通信状態を判定するステップと、呼の通信状態に応答してオーバーヘッド電圧を割り当てるステップとを備えている。
【０００６】
また、本発明に従って、スイッチ、デジタル・ループ搬送（ＤＬＣ）、またはデジタル加入者線アクセス・マルチプレクサ（ＤＳＬＡＭ）等の電話機器デバイスと、ユーザ・デバイスとの間で、オーバーヘッド電圧を割り当てるための通信システムを記載する。このシステムは、電話機器デバイス（電話スイッチ）に配置されてユーザ・デバイスと信号通信状態にあるライン・ドライバを備え、このライン・ドライバは複数の通信状態のうち１つにある。また、このシステムは、ライン・ドライバと信号通信状態にあるプロセッサを含み、このプロセッサは、システムの通信状態に応答して、オーバーヘッド電圧を割り当てる。
【０００７】
以下に、本発明の前述の有利な特徴を詳細に説明する。また、いくつかの図面を参照して与えられる以下の詳細な説明を読むことによって、他の有利な特徴が明らかとなろう。
【０００８】
【発明の実施の形態】
図１に、電話機器デバイスを有する通信システム１００が示されている。電話機器デバイスは、電話スイッチ１０５としても公知であり、更に、デジタル・ループ搬送（ＤＬＣ）またはデジタル加入者線アクセス・マルチプレクサ（ＤＳＬＡＭ）とすることもでき、電話局に配置されている。通信システム１００は、電話スイッチ１０５と信号通信状態にあるユーザ・デバイス１１０も有する。ユーザ・デバイス１１０は、電話スイッチ１０５が提供する普通の従来の電話サービス（ＰＯＴＳ）またはデジタル加入者線サービス（ＸＤＳＬ）を個別にまたは組み合わせて通信するために、電話スイッチ１０５との通信を可能とするデバイスであれば、いずれでも良い。ＸＤＳＬの「Ｘ」は、ＡＤＳＬ（非同期）、ＡＤＳＬ−Ｌｉｔｅ、ＲＤＳＬ（レート適合）、およびＶＤＳＬ（超高速）等のデジタル加入者サービスのファミリの１つを表す。
【０００９】
ＰＯＴＳデバイスの例は、電話機、カスタマ構内設置機器（ＣＰＥ）、コンピュータ・モデム、公衆交換（ＰＢＸ）等の電話交換台、ローカル・エリア・ネットワーク（ＬＡＮ）ハブ、遠隔測定デバイス、遠隔測定インタフェース・ユニット、または類似のあらゆる機器である。ＸＤＳＬデバイスの例は、同じＰＯＴＳタイプのデバイスを高速デジタル・データ用に変えたものが好ましい。
【００１０】
電話スイッチ１０５内には、多数の機能サブ・ブロックが示されている。その中には、ＰＯＴＳインタフェース１１５、ＸＤＳＬインタフェース１２０、ライン・ドライバ１２５、電源１３０、およびプロセッサ１３５が含まれる。ＰＯＴＳインタフェース１１５は、信号接続線１４０を介してライン・ドライバ１２５に結合され、信号接続線１４５を介してプロセッサ１３５に結合されている。同様に、ＸＤＳＬインタフェース１２０は、信号接続線１５０を介してライン・ドライバ１２５に結合され、信号接続線１５５を介してプロセッサ１３５に結合されている。プロセッサ１３５は、信号接続線１６０を介してライン・ドライバ１２５に結合され、信号接続線１６５を介して電源１３０に結合されている。
【００１１】
ＰＯＴＳインタフェース１１５は、信号接続線１４０およびライン・ドライバ１２５を介して、線１７０上のデジタル着信通信信号およびデジタル発信通信信号と、加入者線１７５上で搬送されるアナログ信号との間のインタフェースを提供する。例えば、線１７０は、加入者線１７５との間で送受信されるアナログ情報を表す毎秒６４Ｋｂｓのパルス符号変調（ＰＣＭ）信号を搬送することができる。
【００１２】
ＸＤＳＬインタフェース回路１２０は、電話スイッチ１０５と、毎秒数メガビットまでのレートの受信データを終端させる加入者との間のインタフェースを提供する。線１８０は、線１５０およびライン・ドライバ１２５を介して加入者線１７５上で搬送される加入者への情報および加入者からの情報を表す入来および出立高速デジタル・データ通信を提供する。
【００１３】
ライン・ドライバ１２５は、ＰＯＴＳインタフェース１１５からのＰＯＴＳ信号およびＸＤＳＬインタフェース１２０からのＸＤＳＬ信号の双方を組み合わせて、組み合わせた信号を加入者線１７５を介してユーザ・デバイス１１０に渡す。また、ライン・ドライバ１２５は、信号接続線１６０を介して、プロセッサ１３５に、加入者線１７５のライン・インピーダンス等の電気特性の電気測定信号を供給する。ライン・ドライバ１２５の例示的な実現は、インダクタおよびコンデンサの格子を有する回路から成り、フィルタリングを与えつつ、ＰＯＴＳサービス用のバッテリ供給電流に対応するために必要な直流（ＤＣ）の連続性を維持する。また、ライン・ドライバ１２５は一般に、加入者線１７５を駆動するために、増幅回路のような能動電子コンポーネントを含む。ライン・ドライバ１２５の回路の組み合わせおよび分割は、異なるチップまたは１つのチップにおいて選択的に実施することができる。
【００１４】
電源１３０は、選択的に、約５２Ｖまでで動作すると好ましい電話局バッテリとすることができる。しかしながら、電源１３０は、本発明の範囲を変化させることなく、パワー・サプライのような非バッテリ電源とすることも可能である。電源１３０は、信号接続線１８５を介してライン・ドライバ１２５に接続されている。電源１３０は、ライン・ドライバ１２５に、ＤＣ駆動電圧信号およびオーバーヘッド電圧信号を供給する。
【００１５】
プロセッサ１３５は、信号接続線１６５を介して電源１３０に接続されている。プロセッサ１３５は、ＰＯＴＳ状態、ＸＤＳＬ状態、および通信システム１００のループ状況を判定することによって、ライン・ドライバ１２５の電圧要求を判定する。プロセッサ１３５は、好ましくは、電話スイッチ１０５の一部である。プロセッサ１３５は、検出回路および電話スイッチ１０５のプロセッサ機能を用いて、ＰＯＴＳ状態、ＸＤＳＬ状態、および通信システム１００のループ状況を判定する。プロセッサ１３５は、ライン・ドライバ１２５において抵抗値または他の手段を調節することによって、オーバーヘッド電圧レベルを変化させることができる。プロセッサは、電話スイッチ内のライン・インタフェース・カードの一部とすることができる。プロセッサの一例は、選択的に、ＭｏｔｏｒｏｌａＰｏｗｅｒ  ＰＣ、Ｉｎｔｅｌ  Ｐｒｏｃｅｓｓｏｒ、または他の類似のプロセッサとすれば良い。
【００１６】
ＤＣ駆動電圧信号は、電話スイッチ１０５からユーザ・デバイス１１０に給電するために必要な電圧信号である。オームの法則と、加入者線１７５およびユーザ・デバイス１１０のループ・インピーダンスとに基づいて、ＤＣ駆動電圧は、選択的に、約１６ないし２２ミリアンペア（ｍＡ）のＤＣ電流をユーザ・デバイス１１０に供給するように選択すれば良い。一例として、１６ないし１８ｍＡのＤＣ電流によって、いずれかの１つの電話デバイスまたはいくつかの電子マイクロホン電話デバイスに給電することが好ましいが、これは、多数の従来の炭素マイクロホン電話デバイスに給電するためには十分ではない。
【００１７】
オーバーヘッド電圧は、ライン・ドライバ１２５の増幅回路を飽和させることなく、通信システム１００を介して交流（ＡＣ）信号を駆動するために必要な電圧量である。また、このプロセスは、ＡＣ信号のための余裕電圧設定とも呼ばれる。オーバーヘッド電圧信号は、通信システム１００の複数の通信状態に基づいて、ＰＯＴＳインタフェース１１５からのＰＯＴＳ信号、ＸＤＳＬインタフェース１２０からのＸＤＳＬ信号、または双方の組み合わせを駆動するために、選択的に選ばれた振幅を有する。
【００１８】
ＰＯＴＳサービスのみの状況においてＰＯＴＳ電話がオンフックである場合には、オンフック伝送を必要としない限り、ＡＣ信号は必要ではない。なぜなら、音声通信がないからである。このため、ＰＯＴＳオーバーヘッド電圧に対する必要性は、ほとんどないか、または全くないので、ＤＣ駆動電圧のみを選択的に加入者線１７５に送信する。通常、オンフック状態の間に必要なオーバーヘッド電圧は小さく、ライン・ドライバ１２５の出力段の増幅回路の設計に応じて、ゼロの値に近付く。
【００１９】
図２は、ライン・ドライバ１２５の例示的な実施である。ライン・ドライバ１２５は、送信増幅器１８５、受信増幅器１９０、信号コンバイナ１９５、ハイ・パス・フィルタ２００、およびロー・パス・フィルタ２０５を含む。送信増幅器１８５および受信増幅器１９０は、標準的なベースバンドまたは無線周波数増幅デバイスまたは回路である。信号コンバイナ１９５は、ＰＯＴＳ信号およびＸＤＳＬ信号を組み合わせて共通信号とし、信号接続線２１０を介して送信増幅器１８５に送信することができるデバイスまたは回路であれば、いずれでも良い。信号コンバイナの例は、いずれかのアナログ結合または加算回路とすることが可能である。
【００２０】
送信モードでは、ライン・ドライバ１２５は、信号接続線１４０を介して、ＰＯＴＳインタフェース１１５からＰＯＴＳ信号を受信し、信号接続線１５０を介してＸＤＳＬインタフェース１２０からＸＤＳＬを受信する。ライン・ドライバ１２５では、ＰＯＴＳ信号は、信号接続線２１５を介してコンバイナ回路１９５に結合され、ＸＤＳＬ信号は、信号接続線２２０を介してコンバイナ回路１９５に結合される。ＰＯＴＳ信号およびＸＤＳＬ信号は、コンバイナ回路１９５で組み合わされて、信号接続線２１０を介して送信増幅器１８５に結合される。組み合わせた信号は、次いで、加入者線１７５を介してユーザ・デバイス１１０に送信される。
【００２１】
受信モードでは、ユーザ・デバイス１１０は、ＰＯＴＳ信号、ＸＤＳＬ信号、または組み合わせたＰＯＴＳおよびＸＤＳＬ信号のいずれかを、ライン・ドライバ１２５に送信する。受信増幅器１９０は、信号接続線２２５を介して信号を受信し、この信号を、信号接続線２３０を介して、ハイ・パス・フィルタ２００およびロー・パス・フィルタ２０５に渡す。ハイ・パス・フィルタ２００は、信号の低周波数成分を除去し、高周波数成分を、信号接続線２３５および１５０を介して、ＸＤＳＬインタフェース１２０に渡す。ロー・パス・フィルタ２０５は、信号の高周波数成分を除去し、低周波数成分を、信号接続線２４０および１４０を介して、ＰＯＴＳインタフェース１１５に渡す。
【００２２】
図３は、ライン・ドライバ１２５内の増幅回路を飽和させることなく、ＡＣ  ＰＯＴＳ信号またはＸＤＳＬ信号の通過を可能とする、オーバーヘッド電圧の設定を表す。図３では、ＰＯＴＳ  ＡＣ電圧信号２４５を、垂直な破線２５０の左側に示し、ＸＤＳＬ  ＡＣ電圧信号２５５を、垂直な破線２５０の右側に示す。水平線は電圧レベルを表す。線２６０は接地を表す。破線２６５は、ＤＣ駆動電圧を表す。破線２７０は、ＰＯＴＳオーバーヘッド電圧を表す。破線２７５は、ＸＤＳＬオーバーヘッド電圧を表す。破線２８０は、ＰＯＴＳおよびＸＤＳＬオーバーヘッド電圧の組み合わせ電圧レベルを表す。破線２８５は、通信システム１００における合計電圧を表す。合計電圧（線２８５）は、ＤＣ駆動電圧（線２６５）、ＰＯＴＳオーバーヘッド電圧（線２７０）、およびＸＤＳＬオーバーヘッド電圧（線２７５）の合計に等しい。最後に、線２９０は、図１の電源１３０の出力電圧を表す。
【００２３】
図３は、ＰＯＴＳ  ＡＣ電圧信号２４５を通過させるのに十分な余裕を可能とするために、いかにしてＰＯＴＳオーバーヘッド電圧２７０を選択的に設定するか、または、ＸＤＳＬ  ＡＣ信号２５５を通過させるのに十分な余裕を可能とするために、いかにしてＸＤＳＬオーバーヘッド電圧２７５を設定するかを示す。合計電圧（線２８５）は、図１の通信システム１００の適性な動作のために、図１の電源１３０（図３の線２９０）の出力電圧よりも振幅が低い。
【００２４】
通信システム１００の複数の通信状態（呼の優先権とも呼ばれる）は、ＰＯＴＳ信号のための複数のＰＯＴＳ状態、ＸＤＳＬ信号のための複数のＸＤＳＬ状態、および加入者線１７５の複数のループ状況状態を含む。ＰＯＴＳ状態は、オンフック状況またはオフフック状況のいずれかにある。オフフック状況は、ユーザ・デバイス１１０がアクティブであることを示す。アクティブなユーザ・デバイス１１０の一例は、カスタマ構内において受話器が持ち上げられている場合である。カスタマ構内で多数の受話器が持ち上げられている場合のように、多数のユーザ・デバイス１１０がアクティブである場合に、多オフフック状況も可能である。オンフック状況は、カスタマ構内において全ての電話を切ってイナクティブである場合である。プロセッサ１３５は、ライン・ドライバ１２５を介して、ユーザ・デバイス１１０のインピーダンス等、加入者線１７５の電気特性の変化を測定することによって、ＰＯＴＳ状態を判定する。
【００２５】
ループ状況は、通信ループの電気特性である。通信ループは、ライン・ドライバ１２５から、加入者線１７５を介してユーザ・デバイス１１０に達し、加入者線１７５を介してライン・ドライバ１２５に戻る信号経路を含む。一例として挙げると、通信ループの電気ループ・インピーダンスが、ライン・ドライバ１２５によって測定される電気特性（ループ状況）として選択される。結果として、ループ状況状態は、高インピーダンス状態または低インピーダンス状態にある。ループ・インピーダンスは、好ましくは、ＤＣ加入者線１７５インピーダンスおよびオフ・フックＤＣユーザ・デバイス１１０インピーダンスの合計である。
【００２６】
ＸＤＳＬ状態は、多数のパワー状態を含む。例示の目的のために、ＡＤＳＬ−Ｌｉｔｅを用いる。ＡＤＳＬ−Ｌｉｔｅは、フル・パワー・モード状態（Ｌ０）、ロー・パワー・モード状態（Ｌ１）、パイロット・スリープ・モード状態（Ｌ２）、およびスリープ・モード状態（Ｌ３）等の、多数のパワー状態を有する。
【００２７】
ＡＤＳＬ−Ｌｉｔｅ状態は、国際電気通信連合の電気通信部（ＩＴＵ−Ｔ）勧告Ｇ．９９２．２（Ｇ．Ｌｉｔｅ）において規定されている。Ｌ０は、フル高速データ伝送に用いられる。Ｌ１は、電話スイッチ１０５とユーザ・デバイス１１０との間で制御維持チャネルおよび少量のペイロード・データを受け渡す低パワー・モード伝送に用いられる。Ｌ２は、電話スイッチ１０５とユーザ・デバイス１１０との間で同期を維持するために複数のパイロット・トーンのみが送出される任意選択のパイロット・モード状態である。Ｌ３は、電話スイッチ１０５とユーザ・デバイス１１０との間でＡＤＳＬ−Ｌｉｔｅ通信は行われていないが、これらのデバイスが、「起動」（アクティブになる）してデータを送信する準備をして待機している場合に用いられる。
【００２８】
ＰＯＴＳサービスおよびＸＤＳＬサービスが様々な通信状態にある間に、所与のカスタマ・ループ上で最大のＰＯＴＳおよびＸＤＳＬ性能を可能とする動的な方法で、様々なオーバーヘッド電圧を選択的に調節することができる。オーバーヘッド値の正しい調節を決定するために選択的に用い得る他のファクタには、図１の電源１３０、電圧、オンフック伝送の必要性、通信システム１００内の電力損失を最小化する要望、および定期的パルス測定（ＰＰＭ）機能に対する必要性が含まれる。
【００２９】
サービス・プロバイダまたはカスタマの要望に応じて、様々なサービス（ＸＤＳＬおよびＰＯＴＳ）に与えられる優先度は変化する可能性がある。あるカスタマは、ＸＤＳＬサービスに高い優先度を望む場合があり、彼らのユーザ・デバイス１１０がＸＤＳＬモードでアクティブの場合、ＰＯＴＳサービスよりも優先権が与えられる。また、他のカスタマは、ＰＯＴＳサービスが優先権を有することを望み得る。最後に、他のカスタマは、異なる状況に応じて、ＰＯＴＳおよびＸＤＳＬの間で優先度を変えることを望む場合がある。
【００３０】
図４は、図１のユーザ・デバイス１１０のユーザ、または、サービス・プロバイダすなわち電話スイッチ１０５のオーナが、ＸＤＳＬサービスを犠牲にして、ＰＯＴＳサービスに最高の優先度を与えたい場合に行われる処理を示す。プロセスは、図４のステップ２９５にて開始する。図１のプロセッサ１３５は、図４のステップ３００においてＰＯＴＳ状態を判定し、ステップ３０５においてＸＤＳＬ状態を判定し、ステップ３１０において図１の通信システム１００のループ状況を判定する。判断ステップ３１５では、ＰＯＴＳ状態がオフフック状況にある場合、プロセスは判断ステップ３２０へと続く。あるいは、ＰＯＴＳ状態がオフフック状況にない場合、プロセスはステップ３２５へと続く。ステップ３２５において、図１のプロセッサ１３５は、ＸＤＳＬ信号を駆動するために、電源１３０からライン・ドライバ１２５にオーバーヘッド電圧を割り当てる。プロセスは次いでステップ３３０において終了する。
【００３１】
図４の判断ステップ３２０において、ＸＤＳＬ状態がＬ３にある場合、プロセスはステップ３３５へと続く。ステップ３３５では、図１のプロセッサ１３５は、ＰＯＴＳ信号（音声）を駆動するために十分なＤＣ駆動電圧およびオーバーヘッド電圧を割り当てて、ステップ３３０においてプロセスは終了する。あるいは、ＸＤＳＬがＬ３にない場合、プロセスは判断ステップ３４０へと続く。判断ステップ３４０において、図１のプロセッサ１３５が、ループ状況がハイであると判定した場合、プロセスはステップ３４５へと続く。ステップ３４５では、図１のプロセッサ１３５は、ＤＣ駆動電圧と、ＰＯＴＳ（音声）信号およびＸＤＳＬ信号双方のためのオーバーヘッド電圧とを割り当てる。プロセッサ１３５は、十分なＤＣ駆動電圧およびオーバーヘッド電圧を割り当てて、通信システム１１０に、ユーザ・デバイス１１０を駆動するのに十分な電流をＰＯＴＳ（音声）のために供給しつつ、残りの電圧をＸＤＳＬ信号に使用可能とする。次いで、プロセスは、ステップ３３０にて終了する。
【００３２】
図１のプロセッサ１３５が、図４のステップ３４０において、ループ状況がハイでないと判定した場合、プロセスは判断ステップ３５０へと続く。判断ステップ３５０において、図１のプロセッサ１３５は、ＸＤＳＬ状態がＬ２であるか否かを判定する。ＸＤＳＬ状態がＬ２である場合、プロセスは図４のステップ３５５へと続き、図１のコントローラ１３５は、ＰＯＴＳ信号と共にＬ２のＸＤＳＬ信号を駆動するために、オーバーヘッド電圧を割り当てる。次いでプロセスは図４のステップ３３０にて終了する。
【００３３】
あるいは、判断ステップ３５０において、ＸＤＳＬ状態がＬ２でない場合、プロセスは判断ステップ３６０へと続く。判断ステップ３６０において、図１のプロセッサ１３５は、ＸＤＳＬ信号がＬ１であるか否かを判定する。ＸＤＳＬ信号がＬ１である場合、プロセッサ１３５は、図４のステップ３６５において、Ｌ１のＸＤＳＬ信号およびＰＯＴＳ信号を駆動するために、オーバーヘッド電圧を割り当てる。次いでプロセスはステップ３３０において終了する。あるいは、ＸＤＳＬ信号がＬ０である場合、図１のプロセッサ１３５は、図４のステップ３７０において、Ｌ０のＸＤＳＬ信号およびＰＯＴＳ信号を駆動するために、オーバーヘッド電圧を割り当てる。次いでプロセスはステップ３３０において終了する。
【００３４】
このように、ＰＯＴＳ状態がオンフック状態にある場合には、図１のプロセッサ１３５によって、ＡＤＳＬサービスが、選択的に、フルＡＤＳＬデータ・レートで送出するために必要なＡＣオーバーヘッドを全て利用することができる。この場合、ＰＯＴＳ  ＡＣオーバーヘッド電圧は、オンフック伝送以外では必要ない。ＰＯＴＳ状態がオフフック状態にある場合には、図１のプロセッサ１３５は、ＡＤＳＬオーバーヘッド電圧を制限して、ループ上で通信システム１００が必要とするフルＤＣ駆動電流およびＰＯＴＳオーバーヘッド電圧を用意する。また、プロセッサ１３５は、対応している特定のループに必要なＤＣ駆動電流に対処する。
【００３５】
本発明における明細を、いくつかの態様および実施形態に関して記載したが、多くの詳細は例示の目的のために述べている。従って、前述の説明は単に本発明の原理を例示するに過ぎない。例えば、本発明は、その精神または本質的な特徴から逸脱することなく、他の具体的な形態を有することができる。記載した構成は例示であり、限定ではない。当業者によって、本発明には追加の態様または実施形態が可能であり、本出願に記載した詳細の一部は、本発明の基本的な原理から逸脱することなく、大きく変更することができる。このため、当業者は、本明細書中に明示的に記載または図示していないが、本発明の原理を具現化し従ってその精神および範囲内にある様々な構成を考案可能であることは認められよう。
【図面の簡単な説明】
【図１】本発明の通信システムの機能ブロック図である。
【図２】図１のライン・ドライバの機能ブロック図である。
【図３】図１のプロセッサによる、ＰＯＴＳ信号またはＸＤＳＬ信号の通過を可能とする、オーバーヘッド電圧の設定を示す。
【図４】図１に示す通信システムによって実行されるステップを示す論理フロー図である。
【図１】
0003760073.tif 000002
【図２】
0003760073.tif 000003
【図３】
0003760073.tif 000004
【図４】
0003760073.tif 000005